(57)【要約】【課題】  従来この種の提案は極めて少なく、わずかに提案されているものは、小型、軽量化を考慮して、レンズと鏡を、あるいは、時計とレンズと鏡をそのまま軸着したものであるため、使用したい要素を開いて使用するとき、持ちにくく、各要素の位置決めが難しいなど使い勝手が悪く、各要素の有する機能を十分に発揮できなかった。【解決手段】  加飾板を含む一対の外装板を対向させて保持軸等で結合し、収納ケースの役割を持たせ、一対の外装板の間にレンズと鏡を、あるいは、時計とレンズと鏡を軸着状態で収納し、レンズと鏡等をケースから引き出して使用するときに、ケースを取っ手として使用できるようにし、さらに、レンズ等の各要素の小型、軽量化を可能にして課題を解決した。【選択図】  図１
2006119391.tif 000002
【特許請求の範囲】
【請求項１】
少なくとも一方が加飾板である一対の外装板を対向させて配置したケースの前記一対の外装板の間に少なくとも１つのレンズと少なくとも１つの鏡とを実装した携帯用装飾レンズであって、前記ケースは、前記対向する一対の外装板の間に前記レンズと前記鏡を装着させる保持軸を少なくとも１つ有しているとともに前記対向する一対の外装板の間のケース側面に少なくとも一つの開口部（以下、ケース側面開口部ともいう）を有しており、少なくとも１つの前記レンズと少なくとも１つの前記鏡は、それぞれそれを前記保持軸に取り付けることができる取付部を有しているとともに前記保持軸のまわりに回転させて前記ケース側面開口部から前記レンズと前記鏡の少なくとも一つを出し入れする（以下、前記ケース側面開口部から前記レンズ等を出し入れすることを、単に、前記レンズ等を開閉させるともいう）ことができるように前記取付部を介して前記保持軸に軸着されており、前記ケースは、前記レンズと前記鏡をそれぞれ前記保持軸のまわりに回転させて前記ケース側面開口部から当該ケースの外側に出すことができる構造になっていることを特徴とする携帯用装飾レンズ。
【請求項２】
請求項１に記載の携帯用装飾レンズにおいて、前記ケースは、前記加飾板の上方からみた形状が円形の形状をしているケースであることを特徴とする携帯用装飾レンズ。
【請求項３】
請求項１に記載の携帯用装飾レンズにおいて、前記ケースは、前記加飾板の上方からみた形状が細長い形状をしているケースであることを特徴とする携帯用装飾レンズ。
【請求項４】
請求項１〜３のいずれかに記載の携帯用装飾レンズにおいて、前記保持軸が前記一対の外装板の端部近傍に配置されていることを特徴とする携帯用装飾レンズ。
【請求項５】
請求項３または４に記載の携帯用装飾レンズにおいて、前記ケースが、前記ケースを前記外装板の上方から投影した形状に外接する長方形の長辺の寸法が６５ｍｍ以下であり、短辺の寸法が３５ｍｍ以下であるような細長い形状のケースであることを特徴とする携帯用装飾レンズ。
【請求項６】
請求項１〜５のいずれか１項に記載の携帯用装飾レンズにおいて、前記ケースが前記保持軸を少なくとも２本有していることを特徴とする携帯用装飾レンズ。
【請求項７】
請求項１〜６のいずれか１項に記載の携帯用装飾レンズにおいて、前記ケースの前記保持軸には前記レンズと鏡の他に時計が軸着されており、前記ケースは、前記時計を前記保持軸のまわりに回転させてケース側面開口部から当該ケースの外側に出し入れすることができる構造になっていることを特徴とする携帯用装飾レンズ。
【請求項８】
請求項１〜７のいずれか１項に記載の携帯用装飾レンズにおいて、前記携帯用装飾レンズは少なくとも２つのレンズを有していることを特徴とする携帯用装飾レンズ。
【請求項９】
請求項８に記載の携帯用装飾レンズにおいて、前記少なくとも２つのレンズのうちの２つのレンズがそれぞれ異なる保持軸に軸着されていることを特徴とする携帯用装飾レンズ。
【請求項１０】
請求項１〜９のいずれか１項に記載の携帯用装飾レンズにおいて、少なくとも１つの前記レンズは、レンズとして使用する入射面内の位置によって焦点距離の異なる部分が少なくとも２カ所あることを特徴とする携帯用装飾レンズ。
【請求項１１】
請求項１〜１０のいずれか１項に記載の携帯用装飾レンズにおいて、前記携帯用装飾レンズが、少なくとも１つの前記レンズの焦点方向における、前記レンズと前記鏡のいずれかまたは双方と前記ケースの一方の表面との相対的位置を変化させる手段を有していることを特徴とする携帯用装飾レンズ。
【請求項１２】
請求項１〜１１のいずれか１項に記載の携帯用装飾レンズにおいて、前記レンズの少なくとも１つは当該レンズの周囲にレンズ枠が配置されていないことを特徴とする携帯用装飾レンズ。
【請求項１３】
請求項７〜１２のいずれか１項に記載の携帯用装飾レンズにおいて、前記携帯用装飾レンズのケース側面開口部から前記レンズあるいは鏡あるいは時計の少なくとも１つを引き出した状態で、前記ケースが、前記引き出したレンズあるいは鏡あるいは時計の取っ手の役割をすることができる構造になっていることを特徴とする携帯用装飾レンズ。
【請求項１４】
請求項１〜１３のいずれか１項に記載の携帯用装飾レンズにおいて、少なくとも１つの前記レンズあるいは鏡を直接引き出さなくても、前記少なくとも１つのレンズあるいは鏡が前記ケース側面開口部から所定量だけ出ている状態にすることができる操作手段を有していることを特徴とする携帯用装飾レンズ。
【請求項１５】
請求項１〜１４のいずれか１項に記載の携帯用装飾レンズにおいて、前記ケースは少なくとも前記レンズあるいは鏡を開閉させることができるとともに、前記ケース側面開口部に開閉可能な蓋部あるいは側壁を有していることを特徴とする携帯用装飾レンズ。
【発明の詳細な説明】
【技術分野】
【０００１】
本発明は、ケース内の保持軸に軸着されたレンズと鏡を有する改善された携帯用装飾レンズに関し、さらに、ケース内の保持軸に軸着されたレンズと鏡と時計を有する改善された携帯用装飾時計（以下、ケース内の保持軸に軸着されたレンズと鏡を有する改善された携帯用装飾レンズとケース内の保持軸に軸着されたレンズと鏡と時計を有する改善された携帯用装飾時計を総称して携帯用装飾レンズともいう）に関する。
【背景技術】
【０００２】
ファッション性のあるペンダントウオッチや懐中時計を携行したいというニーズは強く、多くの商品が販売されている。これらのウオッチは、時刻を知りたいときに時計の表示部を見るためのみならずファッションとして携行されるため、多くの場合、薄くて小型で軽量であることが要求される。この場合、時刻表示部の時刻表示が小さくて時刻を読みにくい場合が多い。
【０００３】
この欠点を改善するために、時計にレンズをつける提案が多くなされている。たとえば特許第３０３６０１９号公報（以下、特許文献１ともいう）の図１〜図４には，時計体本体とヒンジ接続によって接続されているレンズを、不要なときには時計体の裏側に重ねておき、必要なときにヒンジ接続部の軸のまわりに回転させてレンズを文字盤の上に重ねて文字板を拡大したり、時計体と水平になるようにして新聞などの文章を読むのに用いたりすることができる懐中時計が記載されている。
【０００４】
この懐中時計は、構造上、時計全体が厚くなる上にデザイン上の制約が大きく、ファッション性に優れた時計にすることは難しい。また、特許文献１に記載のように、ヒンジ接続部の軸のまわりに文字板の上や裏蓋の上をあたかも時計の蓋を上に開くように回転させてレンズを開閉して使うことは、使い勝手が良くないという問題もある。
【０００５】
また、日常生活では、小さい文字、読みにくい文字などに遭遇することも多く、拡大鏡を携行すると便利なことが多い。このような場合には、ファッション性は前記のように良くないが、特許文献１に記載の時計のレンズを使うことができる。
【０００６】
時計にレンズをつける前記とは異なる提案として、特開２００２−２７７５６１（以下、特許文献２ともいう）の図１３〜図１６に、時計本体を着脱可能に取り付ける支持部材の６時方向にあるリングにレンズを下げて、そのレンズで、時計本体の文字板や新聞などの文章を読むのに用いたりすることができる懐中時計が記載されている。
【０００７】
しかし、特許文献２に記載の携帯時計の場合は、特許文献１に記載の携帯時計の場合よりもさらに大型になり、ファッション性に優れた時計にすることは難しい。さらに、使い勝手が良くないという問題もある。
【０００８】
たとえば、女性が携行する装飾時計の場合、外装のファッション的装飾に加えて、使いやすく構成して、さらに小型で厚みを薄くすることが極めて重要である。この観点からは、特許文献１と特許文献２に記載の携帯時計は使いにくく、重くて、大型すぎるという大きな欠点がある。
【０００９】
ペンダントウオッチには装飾的要素が強いため、時計体の文字板を小さくし，ケース胴体に装飾を施す場合が多い。そして、文字板や裏蓋にも装飾を施す場合がある。また、文字板の上に、加飾蓋を配置して、時計としてのイメージを出さずに、完全な装飾品としてのイメージを強める場合も多い。
【００１０】
ペンダントウオッチは、小型、薄型で、軽量であることが強く要求されている。
【００１１】
時計体を小さくした場合、中高年や視力のあまり高くないユーザの場合には、小さい時刻表示の時刻を読みとるのに老眼鏡や虫めがねなどを用いないと正確に時刻を読みとれない場合が多い。
【００１２】
しかし、特に女性や視力の高くないユーザにおいてはよく見られることであるが、このような小さい時刻表示や文字を老眼鏡や虫めがねなどを使用しなければ読めないということを他人に知られたくないというユーザも多い。
【００１３】
また、日常生活において、鏡とレンズを携帯して使用したいというニーズも多い。たとえば、乗り物の中や人の集まる会場などで、目立たずに化粧をしたり、目立たずに化粧を直したり、顔の一部を拡大してみたり、視力の高くない人が小さい文字を読むなどの時には、鏡やレンズが便利である。
【００１４】
このため、時計と鏡と老眼鏡や虫めがねなどをスマートに携帯したいという希望が多い。
【００１５】
このような要望を考慮して、実開平５−２９６１１（以下、特許文献３ともいう）に開示されているようなレンズと鏡を開閉自在に軸着した携帯用装飾品が本発明の本発明者によって提案された。
【００１６】
しかしながら、前記の携帯用装飾品が提案されているにもかかわらず、本発明の発明者が後述の特開２００４−６１４７５（以下、特許文献４ともいう）を提案するまで、レンズと鏡を開閉自在に軸着したペンダントウオッチや懐中時計を製造しようという発想が全く無く、このような時計は、本発明の発明者以外からは提案されてもいない。
【００１７】
図１４〜図１６は特許文献４に記載されている携帯用装飾時計の図（特許文献４の図１〜図３）である。図１４〜図１６で、符号１は携帯用装飾時計、２は時計体、３はレンズ枠、４は加飾蓋、５は時計体２とレンズ枠３と加飾蓋４とを軸着している軸着部、２１は時計体２の文字板、２２は長針、２３は短針、２４ａと２４ｂは側とも呼ばれるケース胴体、２５は裏蓋、２６は電池、２７は回路ブロック、３１はレンズ、３２はレンズ３１を保持しているレンズ枠３の枠部、４１ａは加飾蓋の加飾部、４１ｂは加飾蓋の裏部、４０は加飾蓋の裏部４１ｂに取り付けられている鏡、５１ａは加飾蓋４の結合部、５１ｂはレンズ枠３の結合部、５１ｃは時計体２の結合部、５２ａと５２ｂは前記各結合部５１ａ〜５１ｃを軸着するネジを有するピン、５３はリング、５４はリング５３を挿入保持する穴５５を有するリング連結板、５６ａと５６ｂはパッキンである。
【００１８】
図１４と図１５は時計体２とレンズ枠３と加飾蓋４とをピン５２のまわりに回転させて引き出した状態の平面図である。実際に使用するときには、時計体２とレンズ枠３と鏡のついた加飾蓋４のうちの使用したいもの、たとえばレンズと時計、あるいはレンズと鏡、あるいはレンズをピン５２のまわりに回転させて引き出して使用することができるようになっている。そして、前記引き出したレンズと時計、あるいはレンズと鏡、あるいはレンズを使用する場合、引き出したもの以外を持って前記引き出したものを使用するようになっている。
【００１９】
図１６は携帯用装飾時計を構成する時計体とレンズ枠と加飾蓋とをそれぞれ閉じた状態での断面図である。
【００２０】
図１４〜図１６からわかるように、特許文献４に記載の携帯用装飾時計は時計にレンズと鏡を軸着したものであり、時計とレンズと鏡を携帯することができれば便利であるという観点から、取りあえずこの課題を解決するものとして提案されたものである。
【００２１】
この提案は、それ以前の状態に比較すると極めて大きな前進ということができ、この形態の携帯用装飾時計の試作が行われるきっかけを作った。
【００２２】
しかしながら、試作品を用いて市場調査を行った結果、この技術思想に基づく携帯用装飾時計は携帯すると便利であるが、実際には携帯し難いことがわかった。
【００２３】
問題点の１つは、この携帯用装飾時計がペンダントウオッチや懐中時計など従来の典型的な携帯時計の思想に基づくものであり、時計、レンズ、鏡を携帯時計という観点から合わせたものとなっていて、ハンドバッグやポケットなどに入れて携帯したり、ペンダントとして携帯するには、大きすぎる、重すぎるなどの大きな問題がある。
【００２４】
また、特許文献４に記載の携帯用装飾時計には、レンズと鏡と時計を収納するケースがない。収納ケースをつけることは全体を重くし、大きくすることにつながってしまうという観点から、従来はケースをつけるという発想がなかった。
【００２５】
さらに、問題点の１つは、使い勝手を改善する必要があることである。たとえば、レンズと鏡を引き出して使うとき、図から明らかなように、軸着部を持つようには構成されておらず、時計体を持つか、携帯用装飾時計全体を持って使用せざるを得ない。レンズだけを引き出して使用する場合も同様である。このような持ち方をせざるを得ないことは、使いにくい。また、いずれの使用状態においても、持った状態での携帯用装飾時計の姿勢が安定でない。
【００２６】
【特許文献１】特許第３０３６０１９号
【特許文献２】特開２００２−２７７５６１
【特許文献３】実開平５−２９６１１
【特許文献４】特開２００４−６１４７５
【発明の開示】
【発明が解決しようとする課題】
【００２７】
上記のように、レンズと鏡を、あるいは、時計とレンズと鏡を携帯すると便利であるが、そのような商品の提案は少ない。
【００２８】
その解決策として、わずかに、特許文献３に記載の携帯用装飾品や特許文献４に記載の携帯用装飾時計が提案された。
【００２９】
しかし、いずれの場合も、レンズと鏡を、あるいは、時計とレンズと鏡をそのまま軸着したものであり、前記のように、それらは、たとえば、使うときに持ちにくく、各要素の位置決めが難しいなど使い勝手が悪く、各要素の有する機能を十分に発揮できず、ファッション性を高めるのにも制約が多く、携帯しにくい等々、商品としては未発達といわざるを得ず、本格的に普及するには徹底的に改善することが必要であるという大きな課題があった。
【００３０】
本発明はこのような点に鑑みてなされたもので、本発明の目的は、ファッション性に優れており、小型で、軽量で、携帯しやすく、使い勝手のよいレンズと鏡を一体にした携帯用装飾レンズならびにレンズと鏡と時計体を一体にした携帯用装飾レンズを、安価に提供できるようにするところにある。
【課題を解決するための手段】
【００３１】
本発明は前記の課題を解決せんとしてなされたものである。
【００３２】
本発明の特筆すべき特徴のひとつは、少なくとも一方が加飾板である一対の外装板を対向させて保持軸等で結合し、収納ケースの役割を持たせ、一対の外装板の間にレンズと鏡を、あるいは、時計とレンズと鏡を軸着状態で収納し、たとえば、レンズと鏡等をケースから引き出して使用するときに、ケースを取っ手として使用できるようにしたことによって使い勝手を飛躍的に向上させたことである。
【００３３】
さらに、本発明の特筆すべき特徴のひとつは、徹底的な小型、軽量化を図ったことである。たとえば、レンズ等各要素の形状を工夫したり、レンズのレンズ枠をなくすなどはその一例である。
【００３４】
以下、本発明の特徴を具体的に説明する。
【００３５】
本発明の、第１の基本発明しての発明１の携帯用装飾レンズは、少なくとも一方が加飾板である一対の外装板を対向させて配置したケースの前記一対の外装板の間に少なくとも１つのレンズと少なくとも１つの鏡とを実装した携帯用装飾レンズであり、前記ケースは、前記対向する一対の外装板の間に前記レンズと前記鏡を装着させる保持軸を少なくとも１つ有しているとともに前記対向する一対の外装板の間のケース側面に少なくとも一つの開口部（以下、ケース側面開口部ともいう）を有しており、少なくとも１つの前記レンズと少なくとも１つの前記鏡は、それぞれそれを前記保持軸に取り付けることができる取付部を有しているとともに前記保持軸のまわりに回転させて前記ケース側面開口部から前記レンズと前記鏡の少なくとも一つを出し入れする（以下、前記ケース側面開口部から前記レンズ等を出し入れすることを、単に、前記レンズ等を開閉させるともいう）ことができるように前記取付部を介して前記保持軸に軸着されており、前記ケースは、前記レンズと前記鏡をそれぞれ前記保持軸のまわりに回転させて前記ケース側面開口部から当該ケースの外側に出すことができる構造になっていることを特徴とする携帯用装飾レンズである。
【００３６】
本発明の、発明１を応用した発明である発明２の携帯用装飾レンズは、発明１に記載の携帯用装飾レンズにおいて、前記ケースは前記加飾板の上方からみた形状が円形の形状をしていることを特徴とする携帯用装飾レンズである。
【００３７】
本発明の、発明１を応用した発明である発明３の携帯用装飾レンズは、発明１に記載の携帯用装飾レンズにおいて、前記ケースは前記加飾板の上方からみた形状が細長い形状をしていることを特徴とする携帯用装飾レンズである。
【００３８】
本発明の、発明１を応用した発明である発明４の携帯用装飾レンズは、発明１〜３のいずれかに記載の携帯用装飾レンズにおいて、前記保持軸が前記一対の外装板の端部近傍に配置されていることを特徴とする携帯用装飾レンズである。
【００３９】
本発明の、発明１を応用した発明である発明５の携帯用装飾レンズは、発明３または４に記載の携帯用装飾レンズにおいて、前記ケースが、前記ケースを前記外装板の上方から投影した形状に外接する長方形の長辺の寸法が６５ｍｍ以下であり、短辺の寸法が３５ｍｍ以下であるような細長い形状のケースであることを特徴とする携帯用装飾レンズである。
【００４０】
本発明の、発明１を応用した発明である発明６の携帯用装飾レンズは、発明１〜３のいずれかに記載の携帯用装飾レンズにおいて、前記ケースが前記保持軸を少なくとも２本有していることを特徴とする携帯用装飾レンズである。
【００４１】
本発明の、発明１を応用した発明である発明７の携帯用装飾レンズは、発明１〜６のいずれかに記載の携帯用装飾レンズにおいて、前記ケースが前記ケースの側面に側壁を有していることを特徴とする携帯用装飾レンズである。
【００４２】
本発明の、発明１を応用した発明である発明８の携帯用装飾レンズは、発明７に記載の携帯用装飾レンズにおいて、前記ケースの側壁の少なくとも一部に加飾が施されていることを特徴とする携帯用装飾レンズである。
【００４３】
本発明の、発明１を応用した発明である発明９の携帯用装飾レンズは、発明１〜８のいずれかに記載の携帯用装飾レンズにおいて、前記ケースの前記保持軸には前記レンズと鏡の他に時計が軸着されており、前記ケースは、前記時計を前記保持軸のまわりに回転させてケース側面開口部から当該ケースの外側に出し入れすることができる構造になっていることを特徴とする携帯用装飾レンズである。
【００４４】
本発明の、発明１を応用した発明である発明１０の携帯用装飾レンズは、発明１〜９のいずれかに記載の携帯用装飾レンズにおいて、前記携帯用装飾レンズは少なくとも２つのレンズを有していることを特徴とする携帯用装飾レンズである。
【００４５】
本発明の、発明１を応用した発明である発明１１の携帯用装飾レンズは、発明１０に記載の携帯用装飾レンズにおいて、少なくとも２つの前記レンズが同じ保持軸に軸着されていることを特徴とする携帯用装飾レンズである。
【００４６】
本発明の、発明１を応用した発明である発明１２の携帯用装飾レンズは、発明１１に記載の携帯用装飾レンズにおいて、同じ保持軸に軸着されている少なくとも２つの前記レンズが前記同じ保持軸のまわりに互いに異なる方向へ少なくとも１２０°回転させることができることを特徴とする携帯用装飾レンズである。小型で、双眼にでき、開角を１２０°にしたときにレンズ同士の開角も１２０°になり、取っ手としてのケースが眼よりも下にくる。
【００４７】
本発明の、発明１を応用した発明である発明１３の携帯用装飾レンズは、発明１２に記載の携帯用装飾レンズにおいて、同じ保持軸に軸着されている少なくとも２つの前記レンズが前記同じ保持軸のまわりに時計回りと反時計回りのいずれの方向へも３６０°回転させることができることを特徴とする携帯用装飾レンズである。
【００４８】
本発明の、発明１を応用した発明である発明１４の携帯用装飾レンズは、発明１０に記載の携帯用装飾レンズにおいて、前記少なくとも２つのレンズのうちの２つのレンズがそれぞれ異なる保持軸に軸着されていることを特徴とする携帯用装飾レンズである。
【００４９】
本発明の、発明１を応用した発明である発明１５の携帯用装飾レンズは、発明１〜１４のいずれかに記載の携帯用装飾レンズにおいて、少なくとも１つの前記レンズは、レンズとして使用する入射面内の位置によって焦点距離の異なる部分が少なくとも２カ所あることを特徴とする携帯用装飾レンズである。
【００５０】
本発明の、発明１を応用した発明である発明１６の携帯用装飾レンズは、発明１〜１４のいずれかに記載の携帯用装飾レンズにおいて、少なくとも１つの前記レンズは、レンズ内の場所によって焦点距離が連続的に変化している部分を有していることを特徴とする携帯用装飾レンズである。
【００５１】
本発明の、発明１を応用した発明である発明１７の携帯用装飾レンズは、発明１〜１６のいずれかに記載の携帯用装飾レンズにおいて、前記レンズの少なくとも一部がフレネルレンズであることを特徴とする携帯用装飾レンズである。レンズの軽量化は携帯性の向上に重要なことである。
【００５２】
本発明の、発明１を応用した発明である発明１８の携帯用装飾レンズは、発明１〜１７のいずれかに記載の携帯用装飾レンズにおいて、少なくとも１つの前記レンズは前記レンズとその取付部が一体に形成されていることを特徴とする携帯用装飾レンズである。これにより、レンズを小型化してもレンズの有効面積を広くできる。
【００５３】
本発明の、発明１を応用した発明である発明１９の携帯用装飾レンズは、発明１〜１８のいずれかに記載の携帯用装飾レンズにおいて、少なくとも１つの前記レンズは、レンズとして使用するときのレンズの中心と当該レンズが軸着されている保持軸との距離を変えることができる構造になっていることを特徴とする携帯用装飾レンズである。
【００５４】
本発明の、発明１を応用した発明である発明２０の携帯用装飾レンズは、発明１〜１９のいずれかに記載の携帯用装飾レンズにおいて、少なくとも１つの前記レンズの周辺部近傍に美観の向上を図ることができるように加飾を施したことを特徴とする携帯用装飾レンズである。このレンズの周辺部近傍に施された加飾としては、レンズの周辺部に施されたメタライズ処理もこの範疇に入るものである。この周辺部の加飾は、鏡や時計のようなレンズ以外の要素にも適用できるものである。
【００５５】
また、レンズ等の要素とは別体に作成された電鋳の枠を前記要素に取り付けることも本発明の範疇である。
【００５６】
本発明の、発明１を応用した発明である発明２１の携帯用装飾レンズは、発明１〜２０のいずれかに記載の携帯用装飾レンズにおいて、前記携帯用装飾レンズが、少なくとも１つの前記レンズと少なくとも１つの前記鏡の間の距離すなわち両者の間隔を変化させる手段を有していることを特徴とする携帯用装飾レンズである。これにより、焦点や倍率の適切な調整をすることができ、見やすい鏡や時計などとして使用することができる。
【００５７】
本発明の、発明１を応用した発明である発明２２の携帯用装飾レンズは、発明９〜２０のいずれかに記載の携帯用装飾レンズにおいて、前記携帯用装飾レンズが、少なくとも１つの前記レンズと少なくとも１つの前記鏡の間の距離すなわち間隔と、前記少なくとも１つのレンズと前記時計との間の間隔の、いずれか一方または双方を変化させる手段を有していることを特徴とする携帯用装飾レンズである。これにより、焦点や倍率の適切な調整をすることができ、見やすい鏡として使用することができる。
【００５８】
本発明の、発明１を応用した発明である発明２３携帯用装飾レンズは、発明１〜２２のいずれかに記載の携帯用装飾レンズにおいて、前記携帯用装飾レンズが、少なくとも１つの前記レンズの焦点方向における、前記レンズと前記ケースの一方の表面との相対的位置を変化させる手段を有していることを特徴とする携帯用装飾レンズである。
【００５９】
本発明の、発明１を応用した発明である発明２４の携帯用装飾レンズは、発明１０〜２３のいずれかに記載の携帯用装飾レンズにおいて、前記携帯用装飾レンズが、２つの前記レンズの主要部分の間の間隔を変化させる手段を有していることを特徴とする携帯用装飾レンズである。
【００６０】
本発明の、発明１を応用した発明である発明２５の携帯用装飾レンズは、発明１〜２４のいずれかに記載の携帯用装飾レンズにおいて、前記レンズの少なくとも１つは当該レンズの周囲にレンズ枠を配置していないことを特徴とする携帯用装飾レンズである。この構造は、携帯用装飾レンズの小型化、薄型化を図ることができるとともに、小型化してもレンズの有効面積を広くできる。
【００６１】
本発明の、発明１を応用した発明である発明２６の携帯用装飾レンズは、発明１〜２５のいずれかに記載の携帯用装飾レンズにおいて、前記ケースの前記一対の外装板の双方が加飾板であることを特徴とする携帯用装飾レンズである。
【００６２】
本発明の、発明１を応用した発明である発明２７の携帯用装飾レンズは、発明１〜２６のいずれかに記載の携帯用装飾レンズにおいて、前記携帯用装飾レンズは輪郭形状が生物を形取った形状の加飾板を有していることを特徴とする携帯用装飾レンズである。これにより、ファッション性、和み、やわらかさをいっそう高める。
【００６３】
本発明の、発明１を応用した発明である発明２８の携帯用装飾レンズは、発明９〜２７のいずれかに記載の携帯用装飾レンズにおいて、前記携帯用装飾レンズのケース側面開口部から前記レンズあるいは鏡あるいは時計の少なくとも１つを引き出した状態で、前記ケースが、前記引き出したレンズあるいは鏡あるいは時計の取っ手の役割をすることができる構造になっていることを特徴とする携帯用装飾レンズである。
【００６４】
本発明の、発明１を応用した発明である発明２９の携帯用装飾レンズは、発明１〜２８のいずれかに記載の携帯用装飾レンズにおいて、少なくとも１つの前記レンズあるいは鏡を直接引き出さなくても、前記少なくとも１つのレンズあるいは鏡が前記ケース側面開口部から所定量だけ出ている状態にすることができる操作手段を有していることを特徴とする携帯用装飾レンズである。
【００６５】
本発明の、発明１を応用した発明である発明３０の携帯用装飾レンズは、発明１〜２９のいずれかに記載の携帯用装飾レンズにおいて、前記ケースは少なくとも前記レンズあるいは鏡を開閉させることができるとともに、前記ケース側面開口部に開閉可能な蓋部あるいは側壁を有していることを特徴とする携帯用装飾レンズである。
【００６６】
そして、本発明の携帯用装飾レンズが、上記の各発明に狭く限られず、上記の各発明を適宜組み合わせたものもその範囲に含むものであることは、本発明の説明から明らかである。
【発明の効果】
【００６７】
本発明により、ファッション性に優れており、軽くて、小型で、使い勝手の良い携帯用装飾レンズを安価に提供することができるようになった。これにより、ハンドバッグや化粧袋に気軽に入れて携行するもの、ペンダントとして携行するもの、ワイシャツのポケットに短いペンの感覚で挟んで携行するもの、ポケットに入れて携行するもの等々、広い形態の実用可能な携帯用装飾レンズを提供することができた。
【発明を実施するための最良の形態】
【００６８】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成部分については同一の番号を付けて示し、重複する説明を省略することもある。
【００６９】
使い勝手を良くするには、各要素を使用するときに、携帯用装飾時計を持つ使いやすい取っ手があることが重要なことである。本発明では、全体を以下に小型化、軽量化して、なおかつ使いやすい取っ手を備えるかに工夫を凝らしている。
【００７０】
本発明の実施の形態の例としての携帯用装飾レンズの特筆すべき特徴の１つは、前記のように、少なくとも1つが加飾板である対向する外装板を有するケース内の保持軸にレンズと鏡を、あるいは、レンズと鏡と時計を、軸着状態で、ケースから開閉（出し入れ）可能に収納したところにある。
【００７１】
特に、前記外装板の平面形状を細長い形状にした本発明の携帯用装飾レンズは極めて大きな効果を発揮するものであり、以下の説明においては細長い形状のケースを用いた実施の形態例を用いて本発明の詳細を説明することにする。
【００７２】
また、前記外装板の平面形状を円形の形状にした本発明の携帯用装飾レンズは、安価に製造することができ、広く使われるものであり、以下に説明する細長い形状のケースを用いた実施の形態例の場合の前記形状の違いによる特徴的なものを除いて、多くの利点が当てはまるものである。、
従来の加飾蓋をケースの概念まで進化させたことにより、従来の大型化や重量化の心配を逆転させ、ケースを単なる収納・保護機能にとどまらせず、ケースを取っ手に使用するという使い勝手の飛躍的向上を可能にし、さらには、各要素の徹底的な小型化と全体の徹底的な小型化を可能にすることができた。本発明のこの効果は、ケースの平面形状すなわち前記外装板の外側から見たケースの輪郭が細長い場合にきわめて顕著なものとなる。また、ケースの平面形状すなわち前記外装板の外側から見たケースの輪郭が円形の場合にも、コストを安くして前記効果を発揮するようにすることができる。
【００７３】
本発明の実施の形態の例としての携帯用装飾レンズの特筆すべき特徴の１つは、レンズ、鏡、時計などのうちの使用したい要素をケースから引き出して使用する時に、細長い形状のケースを取っ手として用いることができるようにしたところにある。
【００７４】
本発明の実施の形態の例としての携帯用装飾レンズの特筆すべき特徴の１つは、少なくとも１つのレンズとして、レンズのまわりにそれを保持するレンズと別体のレンズ枠を設けないレンズを用いることができるところにある。これは、全体の軽量化、小型化に大きな効果を発揮する。
【００７５】
また、本発明の実施の形態の例としての携帯用装飾レンズの特筆すべき特徴の１つは、少なくとも１つのレンズ、鏡、時計等の要素として、前記要素のまわりにメタライズ処理をしたものを用いることができるところにある。これは、全体の軽量化、小型化を実現して、かつ、美観の向上に大きな効果を発揮する。
【００７６】
また、本発明の実施の形態の例としての携帯用装飾レンズの特筆すべき特徴の１つは、少なくとも１つのレンズ、鏡、時計等の要素として、前記要素の周囲に要素他派別体に作成した電鋳等による枠を取り付けたものを用いることができるところにある。これは、全体の軽量化、小型化に効果を発揮する。
【００７７】
レンズ、鏡、時計などを細長いケースに実装したことにより、さらには、たとえばレンズ枠をレンズと一体にしたことも合わせて、各要素の部分的形状寸法を、従来の各要素の概念を超えた状態で省略、小型化を図ったことにより、美観を損なわずに、小型化、軽量化、使いやすさの向上を実現することができたことは、本発明の極めて大きな効果ということができる。
【００７８】
本発明のこれらの特徴、効果は、レンズと鏡と時計を軸着した製品のときには特に大きな効果を発揮するものである。
【００７９】
図１は本発明の実施の形態の例としての携帯用装飾レンズの斜視図で、符号１００は携帯用装飾レンズ、１０１は加飾板、１０１ａは加飾板１０１の表面、１０１ｂと１０１ｃは加飾板１０１の長手方向の端部、１０２，１０３，１０６はレンズ、１０４は鏡、１０５は時計、１０７は加飾板、１０８は柱状の固定具、１０９ａは携帯用装飾レンズ１００の上面側、１０９ｂは携帯用装飾レンズ１００の下面側、１０９ｃは携帯用装飾レンズ１００の側面側である。
【００８０】
携帯用装飾レンズ１００は、表面形状が細長い、表面がデザイン化された変形形状に加工された一対の加飾板１０１と１０７の間に、３枚のレンズ１０２，１０３，１０６と、鏡１０４と、時計１０５とを、固定具１０８のある側と反対側の端部近傍にある軸によって保持した構造になっている。３枚のレンズ１０２，１０３，１０６と、鏡１０４と、時計１０５は、それぞれ、それらを軸着している保持軸（以下、レンズ等保持軸ともいう）に直交する方向に、各独立に開閉することができるようになっている。
【００８１】
加飾板１０１と１０７の表面と側面はそれぞれ加飾が施されており、３枚のレンズ１０２，１０３，１０６と、鏡１０４と、時計１０５の少なくとも側面にも加飾が施されている。
【００８２】
加飾板のデザイン化された形状とは、たとえば、平面形状が昆虫や植物を形取った具体的なもののみならず、抽象的なデザイン形状をも指すものであり、さらに、肌触りや見た目の柔らかさを表現するのに、周辺部の角を取ったり、角張らない柔らかみのある曲線になるように加工した加飾板の表面形状のことをいう。
【００８３】
加飾板の細長い形状とは、平面図における輪郭が細長い形状のものであり、たとえば、楕円形、長円形、長方形、その他、生物などを形取ったものでこのような形状になるものなどをいう。
【００８４】
本発明における前記レンズは、１つの凸レンズを、たとえば虫めがねとして用いたり、２つの凸レンズを拡大鏡として両眼で使用したりすることができる。
【００８５】
また、本発明における前記レンズは、眼と拡大してみる対象物との間に、前記１つの凸レンズに限らず、適切なレンズの種類を選択して、複数のレンズを直列に挿入した状態にして使用したり、種々の使い方ができるようになっている。
【００８６】
そして、後述のように、本発明における前記レンズの焦点距離を調節できる機構をつける実施の形態例も可能である。
【００８７】
また、本発明の携帯用装飾レンズは小型で軽量であることが重要な要素の１つであり、この例においては、少なくとも１つのレンズにレンズを支持する枠のないレンズを用い、少なくとも１つのレンズにフレネルレンズを用いて構成している。
【００８８】
本発明の携帯用装飾レンズの軽量化には、各構成要素に用いる材料を選択することも重要なことである。特に軽くすることに重点を置く場合、時計の回路や電池などのような一部の部品を除いて、各構成要素にプラスチックを用いた成型技術、銀などの貴金属を用いたエレクトロフォーミング技術、ステンレスや銅合金（洋白）などのフープ材（薄板）の絞り加工などを用いることが好ましい。エレクトロフォーミングに用いる金属の例としては銀、金、白金などの貴金属があり、また、比重の小さい金属としては、チタン合金、亜鉛合金、アルミ合金などがあり、それらを用いて加工することが好ましい。また、時計の回路や電池などのような一部の部品を除いて、オールプラスチック製にすることは、軽量化に極めて有効なことである。
【００８９】
加飾板、その他の構成要素の保持部材などに皮革（合成皮革を含む）を用いることも、軽量化等に有効である。
【００９０】
携帯用装飾レンズ１００は、加飾板１０１の、それに外接する長方形の長辺と短辺を種々変えて構成することができるが、この例においては長辺を６５ｍｍ以下に、短辺を３５ｍｍ以下に形成した。厚みはレンズ等の実装する要素によって決められるが、以下に説明するように、できるだけ薄くできるように構成上の工夫が施されている。種々の検討の結果、長辺を６５ｍｍ以下に、短辺を３５ｍｍ以下にすることが携帯性を良くする観点から好ましい。
【００９１】
携帯用装飾レンズ１００は、加飾板のみならず、全体として加飾が施されており、小型、軽量で、ハンドバッグ、ポケットなどに小物として入れて携帯したり、ペンダントのように首などに下げて携帯しても、かさばったり重いという感覚を起こさせずに携帯することができるものである。
【００９２】
たとえば、紳士用として、ワイシャツの胸のポケットにはさみ込んで持ち歩くことができるようなクリップをケースにとりつけて、短いペンの間隔で携帯する形態例もある。女性用として、携帯用装飾レンズ１００全体として小型で軽い昆虫や動物などのアクセサリーに見えるように構成しておき、ハンドバッグや化粧袋に入れて携帯したり、ペンダントとして用いたりすることができる。
【００９３】
携帯用装飾レンズ１００を携帯し、必要なときに必要なレンズ、鏡、時計などを、それらをレンズ等保持軸のまわりに回転させて、携帯用装飾レンズ１００の側面側に引き出して使用することができる。
【００９４】
このとき、携帯用装飾レンズ１００のケース（この場合は加飾板１０１と１０７で囲まれた部分）が細長形状であるため、特許文献３や特許文献４に記載のものと異なり、ケースを前記携帯用装飾レンズ１００の側面側に引き出したレンズや鏡などの取っ手として使用することができ、各構成要素の機能を十分に発揮させることができる状態で小型にすることができるとともに、使いやすさを著しく向上させることができる。
【００９５】
図２〜図４は、携帯用装飾レンズ１００の使用例を説明する図で、図２はレンズ１０２と鏡１０４の使用例を説明する図、図３はレンズ１０２とレンズ１０３の使用例を説明する図、図４はレンズ１０２と時計１０４の使用例を説明する図である。
【００９６】
図２〜図４で、符号１０２ａ，１０２ｂ，１０３ａ，１０３ｂはレンズの焦点距離について説明するためのレンズ領域を表す符号、１０５ａは時計１０５のレンズ１０２を通して見えている文字板である。
【００９７】
図２では、説明の都合上、レンズ１０２と鏡１０４を左右に少しずらして書いてあるが、実際に使用するときは、通常、重なる位置に引き出して使用する。図２のように、レンズ１０２と鏡１０４を携帯用装飾レンズ１００のケースから引き出して、ケースの正常位置に収納されている状態からレンズ等保持軸のまわりに約１８０°回転させた状態まで引き出して、たとえば、化粧をするのに使用することができる。このようなレンズつき鏡は、幅をかなり細くしても化粧に必要な部分を見ることが出来、ケースを取っ手として使用するため、長い取っ手のついたレンズのように使うことができ、レンズ等を収納したときの長さは加飾板の長さで済み、長さも短くてすむ。
【００９８】
図3で、レンズ１０２の符号１０２ａで示した領域と符号１０２ｂで示した領域は互いに焦点距離の異なる領域で、レンズ１０３の符号１０３ａで示した領域と符号１０３ｂで示した領域も互いに焦点距離の異なる領域である。符号１０２ａで示した領域と符号１０３ａで示した領域は遠方を見るのに適した焦点距離を有するレンズ領域である。符号１０２ｂで示した領域と符号１０３ｂで示した領域はレンズに近接したものをみるのに適した焦点距離を有するレンズ領域である。この構造は、遠近使い分けのできる携帯用装飾レンズを提供し、携帯用装飾レンズの用途を広くする効果を有する。
【００９９】
図２において、鏡１０４に重ねたレンズ１０２を通して顔の見たい部分を鏡に映し、他人に目立たずに顔の状態を見たり、化粧を行うことができる。この使い方において、後述のように、レンズ１０２の長さを変えて、レンズ１０２の使用したい焦点領域、すなわち、鏡１０４に重なるレンズの位置を変えて使うこともできる。
【０１００】
レンズの焦点距離が異なる領域の少なくとも一部を、レンズの面内における位置が変わると焦点距離が連続的に変わるように構成することもできる。
【０１０１】
図３は、レンズ１０２とレンズ１０３を携帯用装飾レンズ１００のケースから、ケースの正常位置に収納されている状態からレンズ等保持軸のまわりに約１２０°回転させた状態まで引き出した状態である。この状態は、たとえば、手で持っためがねとして使用するのに使いやすい状態である。この場合もケースが取っ手として役立つ。そして、使用時に取っ手が眼よりも下に来るため、見やすいという利点がある。
【０１０２】
また、図示していないが、ケースに収納するレンズの数をたとえば４枚以上にしておき、図３の状態において、レンズ１０２の下にもう１枚のレンズを開いておき、レンズ１０３の下にももう１枚のレンズを開いておき、レンズ１０２とその下にあるもう１枚のレンズとの間隔を適宜変え、レンズ１０３とその下にあるもう１枚のレンズとの間隔も適宜変えて、オペラグラスのような使い方のできる携帯用装飾レンズにすることもできる。
【０１０３】
図４は、レンズ１０２と時計１０５を携帯用装飾レンズ１００のケースから、ケースの正常位置に収納されている状態からレンズ等保持軸のまわりに約１８０°回転させた状態まで引き出した状態を、説明の都合上、レンズ１０２と時計１０５を左右に少しずらして書いて示したものである。実際に使用するときは、通常、両者が重なる位置に引き出して使用し、時計の文字を適宜拡大してみることができる。この場合もケースが取っ手として役立つ。
【０１０４】
この使い方においても、後述のように、レンズ１０２の長さを変えて、レンズ１０２の使用したい焦点領域、すなわち、時計１０５に重なるレンズの位置を変えて使うこともできる。
【０１０５】
図１〜図４の携帯用装飾レンズ１００では、加飾板１０１と加飾板１０７を、加飾板の長手方向の一方の端部１０１ｂにある固定具１０８と加飾板の長手方向の端部１０１ｂとは反対側の端部１０１ｃにあるレンズ等保持軸（後述する図９の符号９９参照）とによって固定してケースを構成しており、携帯用装飾レンズ１００の側面側１０９ｃは全周にわたって解放状態になっている。
【０１０６】
図５は加飾板１０１の例を説明する図で、（Ａ）は平面図、（Ｂ）は（Ａ）におけるＸ１−Ｘ２に沿った断面図、（Ｃ）は（Ａ）におけるＹ１−Ｙ２に沿った断面図である。図５からわかるように、加飾板１０１は平面図における輪郭も、断面図における輪郭も符号１０１ｄや１０１ｅで示したようにシャープさを感じさせず、符号１０１ｆ，１０１ｇで示した部分を複合曲線にするなど柔らかな形状を強調したものとなっている。
【０１０７】
図６は本発明の実施の形態の例としての携帯用装飾レンズの斜視図で、携帯用装飾レンズの側面側全周にわたって側壁を設けた例である。図６で、符号１１０は携帯用装飾レンズ、１１１，１１７は加飾板、１１１ａは加飾板１１１の表面、１１８は携帯用装飾レンズ１１０の側壁、１１８ａは側壁１１８の固定されている部分、１１８ｂは側壁１１８の開閉可能部分、１１８ｃは側壁の固定されている部分１１８ａと開閉可能部分１１８ｂの境界位置である。
【０１０８】
側壁１１８の開閉可能部分１１８ｂは、側壁１１８の固定されている部分１１８ａの一方の端部である図示の境界位置１１８ｃとは反対側の端部のところまで開くことができる。図示していないが、側壁の開閉可能部分１１８ｂは、開いたときに側壁１１８の固定されている部分１１８ａの内側に収納できる構造になっている。
【０１０９】
図６には、携帯用装飾レンズ１１０の側壁１１８の開閉可能部分１１８ｂを閉めた状態を示している。加飾板１１１，加飾板１１７，側壁１１８には加飾が施されている。携帯用装飾レンズ１１０の加飾板１１１と加飾板１１７の間で側壁１１８の内側に収納されているレンズ等の少なくとも周辺部あるいは側面には加飾が施されている。携帯用装飾レンズ１１０の外形寸法に関しても、携帯用装飾レンズ１００の場合の好適な条件を適用して、機能を十分に発揮できて、小型で、携帯しやすく、使いやすい携帯用装飾レンズを安価に実現することができる。
【０１１０】
図７は本発明の実施の形態例としての携帯用装飾レンズの斜視図で、図６に図示の携帯用装飾レンズ１１０の側壁１１８の開閉可能部分１１８ｂを少し開いた状態を示している。図７で、符号１１２，１１３，１１６はレンズ、１１４は鏡、１１５は時計、１１９ａ〜１１９ｃは付加物である。
【０１１１】
付加物１１９ａ〜１１９ｃとしてはたとえばレンズをつけることができる。
【０１１２】
図７に図示のように、レンズ１１２、鏡１１４、時計１１５、レンズ１１６は、図で、向かって左側の端部にあるレンズ等保持軸（レンズ等に隠れて図示されていない）に軸着されており、レンズ１１３、付加物１１９ａ〜１１９ｃは向かって右側の端部にあるレンズ等保持軸（レンズ等に隠れて図示されていない）に軸着されており、いずれもその軸着されているレンズ等保持軸のまわりに少なくとも±１２０°回転させることができるようになっている。
【０１１３】
図８は本発明の実施の形態の例としての携帯用装飾レンズの平面図で、、ケースの長手方向の両端部近傍にそれぞれ各１本のレンズ等保持軸を有する携帯用装飾レンズを説明する図である。図８で、符号１２０は携帯用装飾レンズ、１２１は加飾板、１２２，１２３はレンズである。
【０１１４】
図８の状態の携帯用装飾レンズ１２０はレンズ１２２とレンズ１２３の使用するレンズ領域の幅を使用者の左右の眼の間隔に合わせた開き状態にして、左右の眼で対象物を見ることができるものである。この場合も、加飾板１２１を含むケース部分を手で持つなどの支持部として利用することができる。図８で、レンズ１２２とレンズ１２３をケースに収納されている状態から図示のように約１２０°（レンズ１２２の場合は反時計回りに１２０°、レンズ１２３の場合は時計回りに１２０°）開いた状態にすると、レンズの使用する位置がユーザの両眼の間隔と同じ位置にしたときにケースが目線よりも十分に下に位置するので、ケースを持ってもケースが対象物を見る邪魔にならず、ケースの長さを短くすることができる。この場合、レンズ１２２とレンズ１２３は、一方を、あるいは双方を、ケースの前記と逆の方向から３６０°−１２０°＝２４０°それぞれ前記と逆方向に開くように構成しても良い。もちろん、レンズの開き方は前記の双方の開き方ができるように構成しても良い。この場合は、構成によっては、前記のような側壁を用いない。
【０１１５】
前記の例と同様に、図示しないが、図８のレンズ１２２の下にもう１枚のレンズを開いておき、レンズ１２３の下にももう１枚のレンズを開いておき、レンズ１２２とその下にあるもう１枚のレンズの間隔を適宜変え、レンズ１２３とその下にあるもう１枚のレンズの間隔も適宜変えて、オペラグラスのような使い方のできる携帯用装飾レンズにすることもできる。
【０１１６】
図９は、図１の携帯用装飾レンズ１００のレンズ等保持軸と固定具１０８を含む位置の断面図である。図９で、符号９９はレンズ等保持軸である。
【０１１７】
図９の例は、携帯用装飾レンズ１００をできるだけ薄くするように、加飾板１０１と１０７の間に収納されているレンズ、鏡、時計などの各要素間の隙間をできるだけ少なくするような構造にしてある例である。レンズ１０２，１０３，１０６、鏡１０４、時計１０５などの各要素間のレンズ等保持軸９９に軸着する部分には、穴が形成されており、この穴にレンズ等保持軸９９を差し込んで図のように軸着している。そして、各要素のこの穴は、各要素をレンズ等保持軸９９のまわりに回転するときに、スムースに回転させることができるように形成されている。
【０１１８】
前記各要素の少なくとも１つの要素のレンズ等保持軸９９に軸着する部分を、前記穴の代わりに平面図にしたときの凹部になる形状の弾性体の凹部に形成し、その凹部の開口部をレンズ等保持軸９９の直径より小さい寸法にし、前記凹部の開口部をレンズ等保持軸９９に押しつけて凹部にレンズ等保持軸９９を挿入することによって、当該要素をレンズ等保持軸９９に軸着することができる。このような構成を用いて、本発明の携帯用装飾レンズに軸着する要素を適宜交換して用いることができる。そして、別のケースに交換用のレンズ等を収納して、別の形で携帯することができる。この構成によって、本発明の携帯用装飾レンズの徹底的な薄型化、小型化、軽量化を実現することができる。
【０１１９】
収納されている要素の少なくとも１つは、レンズ等保持軸９９のまわりに３６０°回転させることができるように構成されている。これは、使い勝手の向上にもなる。
【０１２０】
さらに各要素の互いに重なっている部分の凹凸構造など、薄型化とスムースな出し入れの向上を図る工夫がなされている。
【０１２１】
図１０は、本発明の実施の形態の例としての携帯用装飾レンズの断面図で、一対の加飾板の間に収納されているレンズ、鏡、時計などの各要素間の相互の間隔を調整することができる携帯用装飾レンズを説明する図である。
【０１２２】
図１０で、符号１３０は携帯用装飾レンズ、１３１，１３８は加飾板、１３２，１３３，１３６，１３７はレンズ、１３４は鏡、１３５は時計、１３９，１４０はレンズ等保持軸、１４１，１４２は矢印である。
【０１２３】
加飾板１３１と加飾板１３８の間には、レンズ１３２，１３３，１３６，１３７、鏡１３４、時計１３５が前記いずれかのレンズ等保持軸に軸着されて収納されている。このように、加飾板１３１と加飾板１３８はレンズ１３２，１３３，１３６，１３７、鏡１３４、時計１３５を収納するケースになっている。
【０１２４】
レンズ１３２，１３６、鏡１３４、時計１３５はレンズ等保持軸１４０に、レンズ等保持軸１４０のまわりに回転可能な状態で軸着されており、レンズ１３３，１３７はレンズ等保持軸１３９に、レンズ等保持軸１３９のまわりに回転可能な状態で軸着されている。  各要素の前記軸着されている部分には、軸着に利用することができる穴や凹部が形成されている。
【０１２５】
図１０において、図示していないが、レンズ１３２は矢印１４２の方向に上下させることができるようになっており、レンズとして使用する位置の焦点位置を変えることができる構造になっている。レンズ１３３も、図示していないが、矢印１４１の方向に上下させることができるようになっており、レンズとして使用する位置の焦点位置を変えることができる構造になっている。この作用のため、当該レンズをケースから引き出して使用するときのレンズの使用目的を大幅に広くすることができる。
【０１２６】
加飾板１３１，１３８は細長い形状の、デザイン的に加工された形状をしており、その長さ方向の両端部近傍において、レンズ等保持軸１３９とレンズ等保持軸１４０によって、レンズ等保持軸１３９とレンズ等保持軸１４０の軸方向すなわち長さ方向に可動に固定されている。
【０１２７】
すなわち、図示していないが、携帯用装飾レンズ１３０は、ケースからレンズ、鏡、時計などの収納要素の少なくとも１つをケースの外部にその少なくとも一部を飛び出させる自動あるいは半自動の開閉手段を有している。前記開閉手段の一例として、加飾板１３１と加飾板１３８の長さ方向の一方の端部近傍をレンズ等保持軸の軸方向に、すなわち、加飾板１３１と加飾板１３８の端部の間隔を変化させるような方向に、押圧したり引き上げたりすると、そのレンズ等保持軸の位置における加飾板１３１と加飾板１３８の間隔が変化し、その間に収納されている各要素の少なくとも１つが携帯用装飾レンズ１３０の側面から飛び出し、ユーザはその飛び出した部分をつまむなどして、当該要素を携帯用装飾レンズ１３０の外側に容易に引き出すことができるようになっている。このとき、特に好適な形態例として、特定の要素だけを携帯用装飾レンズ１３０の側面から飛び出させるように構成することもでき、あるいは、各要素の飛び出す量を変えて飛び出させるように構成することもできる。薄型化やコストなどの諸事情を勘案して構成することが好ましい。これらによって、使い勝手の向上を図ることができる。
【０１２８】
各要素を携帯用装飾レンズ１３０の外側に引き出す方法は、引き出したい要素を引き出したい方向と反対側から押して携帯用装飾レンズ１３０の側面外側に押し出し、その押し出された部分をつまむなどして引き出すこともできる。
【０１２９】
そして、本発明の携帯用装飾レンズの多くの実施の形態において、従来では考えられていなかったケースを手などでもってレンズ等を使用するということは、小型化を図ることができるのみならず、使い勝手の著しい向上をもたらすものである。
【０１３０】
図１１〜図１３はケースに収納されている前記レンズの焦点や使用位置を変化させる方法を説明するモデル的な図で、図１１と図１３は側面図、図１２は平面図である。
【０１３１】
図１１〜図１３において、符号１５０，１６０，１７０はレンズ、１５１，１６１，１７１はレンズを軸着する部分を含むレンズの支持部分、１５２，１６２，１７２はレンズの焦点や使用位置を変化させる位置可変部、１５３，１６３，１７３はレンズのレンズとして使用する部分を含むレンズ主要部分、１５４，１５５，１６４，１７４は矢印である。  レンズの支持部分１５１，１６１，１７１にはレンズを軸着するのに用いることができる穴や凹部などが形成されており、レンズを軸着することができる構造になっている。
【０１３２】
図１１のレンズは、レンズの支持部分１５１とレンズ主要部分１５３がその間にある位置可変部１５２によって連結されている。位置可変部１５２は、レンズの支持部分１５１およびレンズ主要部分１５３と、ネジ構造を利用して係合している。位置可変部１５２を回転させると、前記係合部分が矢印１５４の方向に出入りあるいは伸縮し、位置可変部１５２のレンズの支持部分１５１とレンズ主要部分１５３の間の長さが変化し、レンズ主要部分１５３の位置が矢印１５５の方向に変化する。
【０１３３】
図１２のレンズは、レンズの支持部分１６１とレンズ主要部分１６３がその間にある位置可変部１６２によって連結されている。位置可変部１６２は、レンズの支持部分１６１およびレンズ主要部分１６３と係合している。位置可変部１６２を回転すると、前記係合部分が矢印１６４の方向に出入りあるいは伸縮し、位置可変部１６２のレンズの支持部分１６１とレンズ主要部分１６３の間の長さが変化し、レンズ主要部分１６３の矢印１６４方向の位置が変化する。
【０１３４】
レンズ主要部分１６３の矢印１６４方向における焦点距離を位置によって異なるように形成しておけば、ユーザは目的にあった焦点距離のレンズとしてレンズ１６０を使用することができる。この場合、レンズ主要部分の焦点距離は、矢印１６４の方向と矢印１６４に直交する方向とにおいて、２次元的に段階的に変化するように構成しておき、小型ではあるが用途の広いレンズとして使用することができる。
【０１３５】
レンズの支持部分１６１には、レンズ１６０をレンズ等保持軸に取り付けるのに用いられる弾性体の凹部１６１ａが形成されている。凹部１６１ａの開口部１６１ｂは、前記レンズ等保持軸の径よりも狭い幅に形成されており、前記レンズ等保持軸に凹部１６１ａの開口部１６１ｂを押し付けて凹部１６１ａ内に前記レンズ等保持軸を挿入し、レンズ１６０をレンズ等保持軸に軸着する。凹部１６１ａは、前記レンズ等保持軸を挿入した状態で、前記レンズ等保持軸のまわりにレンズ１６０を回転させることができる形状と寸法に形成されている。
【０１３６】
図１３は、レンズの支持部分１７１とレンズ主要部分１７３の間にフレキシブルな構造の位置可変部１７２を設けており、位置可変部１７２を指などで曲げて変形し、レンズ主要部分１７３の使用する位置を変化させることができる。
【０１３７】
携帯用装飾レンズの使用時における、レンズの他のレンズ、鏡、時計、加飾板、外部の対象物などとの相対位置を変えることができることにより、用途の拡大と使い勝手の向上を図ることができる。
【０１３８】
以上、本発明の好適な実施の形態例を図面に基づいて説明したが、本発明はこの例に狭く限定されるものではなく、種々のバリエーションを可能とするものである。
【０１３９】
たとえば、ケースの一部を構成している加飾板を、固定ではなく可動に構成し、加飾板をもケースから開閉可能に軸着することもでき、加飾板の裏を一部の要素の保持部材として用いることができる。
【産業上の利用可能性】
【０１４０】
以上説明したように、本発明の携帯用装飾レンズは、レンズをケースに収納してあることにより危険防止が図られており、ケースを細長くし、ケースにデザイン的形状の加飾板を用いたことにより、ファッション性を高め、小型軽量化を図り、使い勝手の飛躍的な向上を図ったため、化粧など女性の必需品として、あるいは、携帯時計の周辺商品たとえば時計アクセサリーとして、あるいは、めがねの周辺商品として、あるいは、教育用、観察用のレンズ応用商品として、ステーショナリーとして、あるいは、劇場や読書など趣味の領域での商品として広い分野で使用することができものである。
【図面の簡単な説明】
【０１４１】
【図１】本発明の実施の形態例としての携帯用装飾レンズの斜視図である。
【図２】本発明の実施の形態例としての携帯用装飾レンズにおけるレンズと鏡の使用例を説明する図である。
【図３】本発明の実施の形態例としての携帯用装飾レンズにおけるレンズの使用例を説明する図である。
【図４】本発明の実施の形態例としての携帯用装飾レンズにおけるレンズと時計の使用例を説明する図である。
【図５】本発明の実施の形態例としての携帯用装飾レンズにおける加飾板の例を説明する図で、（Ａ）は平面図、（Ｂ）は（Ａ）におけるＸ１−Ｘ２に沿った断面図、（Ｃ）は（Ａ）におけるＹ１−Ｙ２に沿った断面図である。
【図６】本発明の実施の形態例としての携帯用装飾レンズの斜視図である。
【図７】本発明の実施の形態例としての携帯用装飾レンズの斜視図である。
【図８】本発明の実施の形態例としての携帯用装飾レンズの平面図である。
【図９】本発明の実施の形態例としての携帯用装飾レンズの断面図である。
【図１０】本発明の実施の形態例としての携帯用装飾レンズの断面図である。
【図１１】本発明の実施の形態例としての携帯用装飾レンズにおけるレンズの焦点や使用位置を変化させる方法を説明するモデル的な図である。
【図１２】本発明の実施の形態例としての携帯用装飾レンズにおけるレンズの焦点や使用位置を変化させる方法を説明するモデル的な図である。
【図１３】本発明の実施の形態例としての携帯用装飾レンズにおけるレンズの焦点や使用位置を変化させる方法を説明するモデル的な図である。
【図１４】従来の携帯用装飾時計の表側の平面図で、時計体とレンズ枠と加飾蓋とをピンのまわりに回転させて引き出した状態の図である。
【図１５】従来の携帯用装飾時計の裏側の平面図で、時計体とレンズ枠と加飾蓋とをピンのまわりに回転させて引き出した状態の図である。
【図１６】従来の携帯用装飾時計の時計体とレンズ枠と加飾蓋とをそれぞれ閉じた状態での断面図である。
【符号の説明】
【０１４２】
１：携帯用装飾時計
２：時計体
３：レンズ枠
４：加飾蓋
５：軸着部
２１：時計体の文字板
２４ａ，２４ｂ：時計のケース胴体
２５：裏蓋
３１：レンズ
３２：レンズ枠の枠部
４０：加飾蓋の裏部に取り付けられている鏡
４１ａ：加飾蓋の加飾部
４１ｂ：加飾蓋の裏部
５１ａ：加飾蓋の結合部
５１ｂ：レンズ枠の結合部
５１ｃ：時計体の結合部
５２ａ，５２ｂ：各結合部５１ａ〜５１ｃを軸着するピン
９９，１３９，１４０：レンズ等保持軸
１００，１１０，１２０，１３０：携帯用装飾レンズ
１０１，１０７，１１１，１１７，１２１，１３１，１３８：加飾板
１０１ａ，１１１ａ：加飾板の表面
１０１ｂ，１０１ｃ：加飾板１０１の長手方向の端部
１０２，１０３，１０６，１１２，１１３，１１６，１２２，１２３，１３２，１３３，１３６，１３７，１５０，１６０，１７０：レンズ
１０２ａ，１０２ｂ，１０３ａ，１０３ｂ：レンズの焦点距離について説明するためのレンズ領域を表す符号
１０４，１１４，１３４：鏡
１０５，１１５，１３５：時計
１０５ａ：レンズを通して見えている時計の文字板
１０８：固定具
１０９ａ：携帯用装飾レンズ１００の上面側
１０９ｂ：携帯用装飾レンズ１００の下面側
１０９ｃ：携帯用装飾レンズ１００の側面側
１０１ｄ，１０１ｅ，１０１ｆ，１０１ｇ：加飾板の表面形状を説明するための符号
１１８：携帯用装飾レンズの側壁
１１８ａ：側壁の固定されている部分
１１８ｂ：側壁の開閉可能部分
１１８ｃ：側壁の固定されている部分と開閉可能部分の境界位置
１１９ａ〜１１９ｃ：付加物
１４１，１４２，１５４，１５５，１６４，１７４：矢印
１５１，１６１，１７１：レンズを軸着する部分を含むレンズの支持部分
１５２，１６２，１７２：レンズの位置可変部
１５３，１６３，１７３：レンズ主要部分
【図１】
2006119391.tif 000003
【図２】
2006119391.tif 000004
【図３】
2006119391.tif 000005
【図４】
2006119391.tif 000006
【図５】
2006119391.tif 000007
【図６】
2006119391.tif 000008
【図７】
2006119391.tif 000009
【図８】
2006119391.tif 000010
【図９】
2006119391.tif 000011
【図１０】
2006119391.tif 000012
【図１１】
2006119391.tif 000013
【図１２】
2006119391.tif 000014
【図１３】
2006119391.tif 000015
【図１４】
2006119391.tif 000016
【図１５】
2006119391.tif 000017
【図１６】
2006119391.tif 000018
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
少なくとも一方が加飾板である一対の外装板を対向させて配置したケースの前記一対の外装板の間に少なくとも１つのレンズと少なくとも１つの鏡とを実装した携帯用装飾レンズであって、前記ケースは、前記対向する一対の外装板の間に前記レンズと前記鏡を装着させる保持軸を少なくとも１つ有しているとともに前記対向する一対の外装板の間のケース側面に少なくとも一つの開口部（以下、ケース側面開口部ともいう）を有しており、少なくとも１つの前記レンズと少なくとも１つの前記鏡は、それぞれそれを前記保持軸に取り付けることができる取付部を有しているとともに前記保持軸のまわりに回転させて前記ケース側面開口部から前記レンズと前記鏡の少なくとも一つを出し入れする（以下、前記ケース側面開口部から前記レンズ等を出し入れすることを、単に、前記レンズ等を開閉させるともいう）ことができるように前記取付部を介して前記保持軸に軸着されており、前記ケースは、前記レンズと前記鏡をそれぞれ前記保持軸のまわりに回転させてその少なくとも一部を前記ケース側面開口部から当該ケースの外側に出すことができる構造になっていることを特徴とする携帯用装飾レンズ。
【請求項２】
請求項１に記載の携帯用装飾レンズにおいて、前記ケースは、前記加飾板の上方からみた形状が円形の形状をしているケースであることを特徴とする携帯用装飾レンズ。
【請求項３】
請求項１に記載の携帯用装飾レンズにおいて、前記ケースは、前記加飾板の上方からみた形状が細長い形状をしているケースであることを特徴とする携帯用装飾レンズ。
【請求項４】
請求項１〜３のいずれかに記載の携帯用装飾レンズにおいて、前記保持軸が前記一対の外装板の端部近傍に配置されていることを特徴とする携帯用装飾レンズ。
【請求項５】
請求項３または４に記載の携帯用装飾レンズにおいて、前記ケースが、前記ケースを前記外装板の上方から投影した形状に外接する長方形の長辺の寸法が６５ｍｍ以下であり、短辺の寸法が３５ｍｍ以下であるような細長い形状のケースであることを特徴とする携帯用装飾レンズ。
【請求項６】
請求項１〜５のいずれか１項に記載の携帯用装飾レンズにおいて、前記ケースが前記保持軸を少なくとも２本有していることを特徴とする携帯用装飾レンズ。
【請求項７】
請求項１〜６のいずれか１項に記載の携帯用装飾レンズにおいて、前記ケースの前記保持軸には前記レンズと鏡の他に時計が軸着されており、前記ケースは、前記時計を前記保持軸のまわりに回転させてその少なくとも一部をケース側面開口部から当該ケースの外側に出し入れすることができる構造になっていることを特徴とする携帯用装飾レンズ。
【請求項８】
請求項１〜７のいずれか１項に記載の携帯用装飾レンズにおいて、前記携帯用装飾レンズは少なくとも２つのレンズを有していることを特徴とする携帯用装飾レンズ。
【請求項９】
請求項８に記載の携帯用装飾レンズにおいて、前記少なくとも２つのレンズのうちの２つのレンズがそれぞれ異なる保持軸に軸着されていることを特徴とする携帯用装飾レンズ。
【請求項１０】
請求項１〜９のいずれか１項に記載の携帯用装飾レンズにおいて、少なくとも１つの前記レンズは、レンズとして使用する入射面内の位置によって焦点距離の異なる部分が少なくとも２カ所あることを特徴とする携帯用装飾レンズ。
【請求項１１】
請求項１〜１０のいずれか１項に記載の携帯用装飾レンズにおいて、前記携帯用装飾レンズが、少なくとも１つの前記レンズの焦点方向における、前記レンズと前記鏡のいずれかまたは双方と前記ケースの一方の表面との相対的位置を変化させる手段を有していることを特徴とする携帯用装飾レンズ。
【請求項１２】
請求項１〜１１のいずれか１項に記載の携帯用装飾レンズにおいて、前記レンズの少なくとも１つは当該レンズの周囲にレンズ枠が配置されていないことを特徴とする携帯用装飾レンズ。
【請求項１３】
請求項７〜１２のいずれか１項に記載の携帯用装飾レンズにおいて、前記携帯用装飾レンズのケース側面開口部から前記レンズあるいは鏡あるいは時計の少なくとも１つを引き出した状態で、前記ケースが、前記引き出したレンズあるいは鏡あるいは時計の取っ手の役割をすることができる構造になっていることを特徴とする携帯用装飾レンズ。
【請求項１４】
請求項１〜１３のいずれか１項に記載の携帯用装飾レンズにおいて、少なくとも１つの前記レンズあるいは鏡を直接引き出さなくても、前記少なくとも１つのレンズあるいは鏡が前記ケース側面開口部から所定量だけ出ている状態にすることができる操作手段を有していることを特徴とする携帯用装飾レンズ。
【請求項１５】
請求項１４に記載の携帯用装飾レンズにおいて、前記操作手段が押圧式と引き出し式のいずれかまたは双方を組み合わせた手段であることを特徴とする携帯用装飾レンズ。
【請求項１６】
請求項１４または１５に記載の携帯用装飾レンズにおいて、前記操作手段が前記ケースに軸着されている前記少なくとも１つのレンズあるいは鏡あるいは時計等の各要素に応じて前記ケース側面開口部から飛び出す寸法や方向などの飛び出し状態が異なるように各要素が所定量だけ出ている状態にすることができる手段であることを特徴とする携帯用装飾レンズ。
【請求項１７】
請求項１〜１６のいずれかに記載の携帯用装飾レンズにおいて、前記各要素が前記ケースに着脱可能に軸着されていることを特徴とする携帯用装飾レンズ。
【請求項１８】
請求項１〜１７のいずれか１項に記載の携帯用装飾レンズにおいて、前記ケースは少なくとも前記レンズあるいは鏡を開閉させることができるとともに、前記ケース側面開口部に開閉可能な蓋部あるいは側壁を有していることを特徴とする携帯用装飾レンズ。
【手続補正２】
【補正対象書類名】明細書
【補正対象項目名】００３５
【補正方法】変更
【補正の内容】
【００３５】
本発明の、第１の基本発明しての発明１の携帯用装飾レンズは、少なくとも一方が加飾板である一対の外装板を対向させて配置したケースの前記一対の外装板の間に少なくとも１つのレンズと少なくとも１つの鏡とを実装した携帯用装飾レンズであり、前記ケースは、前記対向する一対の外装板の間に前記レンズと前記鏡を装着させる保持軸を少なくとも１つ有しているとともに前記対向する一対の外装板の間のケース側面に少なくとも一つの開口部（以下、ケース側面開口部ともいう）を有しており、少なくとも１つの前記レンズと少なくとも１つの前記鏡は、それぞれそれを前記保持軸に取り付けることができる取付部を有しているとともに前記保持軸のまわりに回転させて前記ケース側面開口部から前記レンズと前記鏡の少なくとも一つを出し入れする（以下、前記ケース側面開口部から前記レンズ等を出し入れすることを、単に、前記レンズ等を開閉させるともいう）ことができるように前記取付部を介して前記保持軸に軸着されており、前記ケースは、前記レンズと前記鏡をそれぞれ前記保持軸のまわりに回転させてその少なくとも一部を前記ケース側面開口部から当該ケースの外側に出すことができる構造になっていることを特徴とする携帯用装飾レンズである。
【手続補正３】
【補正対象書類名】明細書
【補正対象項目名】００４３
【補正方法】変更
【補正の内容】
【００４３】
本発明の、発明１を応用した発明である発明９の携帯用装飾レンズは、発明１〜８のいずれかに記載の携帯用装飾レンズにおいて、前記ケースの前記保持軸には前記レンズと鏡の他に時計が軸着されており、前記ケースは、前記時計を前記保持軸のまわりに回転させてその少なくとも一部をケース側面開口部から当該ケースの外側に出し入れすることができる構造になっていることを特徴とする携帯用装飾レンズである。
【手続補正４】
【補正対象書類名】明細書
【補正対象項目名】００６４
【補正方法】変更
【補正の内容】
【００６４】
本発明の、発明１を応用した発明である発明２９の携帯用装飾レンズは、発明１〜２８のいずれかに記載の携帯用装飾レンズにおいて、少なくとも１つの前記レンズあるいは鏡を直接引き出さなくても、前記少なくとも１つのレンズあるいは鏡が前記ケース側面開口部から所定量だけ出ている状態にすることができる操作手段を有していることを特徴とする携帯用装飾レンズである。
前記操作手段の例としては、後述の記載から明らかなように、押圧式と引き出し式のいずれかまたは双方を組み合わせた手段を用いることができる。
また、前記操作手段の形態としては、前記ケースに軸着されている前記少なくとも１つのレンズあるいは鏡あるいは時計等の各要素に応じて前記ケース側面開口部から飛び出す寸法や方向などの飛び出し状態が異なるように各要素が所定量だけ出ている状態にすることができる。
【手続補正５】
【補正対象書類名】明細書
【補正対象項目名】００７６
【補正方法】変更
【補正の内容】
【００７６】
また、本発明の実施の形態の例としての携帯用装飾レンズの特筆すべき特徴の１つは、少なくとも１つのレンズ、鏡、時計等の要素として、前記要素の周囲に要素とは別体に作成した電鋳等による枠を取り付けたものを用いることができるところにある。これは、全体の軽量化、小型化に効果を発揮する。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
少なくとも一方が加飾板である一対の外装板を対向させて配置したケースの前記一対の外装板の間に少なくとも２つのレンズと少なくとも１つの鏡と少なくとも１つの時計を実装した携帯用装飾レンズであって、前記ケースは、前記対向する一対の外装板の間にレンズと鏡と時計のうちの少なくとも１つを軸着させることができる保持軸を少なくとも１つ有しており、前記ケースには少なくとも一つの開口部（以下、ケース側面開口部ともいう）が設けられており、少なくとも１つのレンズは、それを前記保持軸に取り付けることができる取付部を有しており、少なくとも１つのレンズと少なくとも１つの鏡と少なくとも１つの時計は、保持軸のまわりに回転させて前記ケース側面開口部から前記レンズと前記鏡と前記時計のうちの少なくとも一つの少なくとも一部を出し入れすることができるように前記保持軸に軸着されており、少なくとも１つのレンズと少なくとも１つの鏡は、前記ケースの外側に出した部分において前記レンズを介して前記鏡を使用することができるようになっており、また、少なくとも２つのレンズは、その光学面がおおむね平行な状態になるよに前記ケースの外側に出して使用することができるようになっていることを特徴とする携帯用装飾レンズ。
【請求項２】
請求項１に記載の携帯用装飾レンズにおいて、前記少なくとも２つのレンズのうちの２つのレンズがそれぞれ異なる保持軸に軸着されていることを特徴とする携帯用装飾レンズ。
【請求項３】
請求項１または２に記載の携帯用装飾レンズにおいて、少なくとも１つの前記レンズには、レンズとして使用する入射面内の位置によって焦点距離の異なる部分が設けられていることを特徴とする携帯用装飾レンズ。
【請求項４】
請求項１〜３のいずれか１項に記載の携帯用装飾レンズにおいて、前記携帯用装飾レンズが、少なくとも１つの前記レンズの焦点方向において、前記レンズと他のレンズあるいは前記鏡のいずれかまたは双方との相対的位置を変化させる手段を有していることを特徴とする携帯用装飾レンズ。
【請求項５】
少なくとも２つのレンズと少なくとも１つの時計と少なくとも１つの鏡と少なくとも１つの保持軸を有する携帯用装飾レンズであって、少なくとも１つのレンズと少なくとも１つの時計は保持軸のまわりに回動可能に軸着されており、少なくとも１つのレンズと少なくとも１つの鏡は保持軸のまわりに回動可能に軸着されており、少なくとも２つのレンズは、時計からはみ出した状態にそして使用者のほぼ左右の眼の間隔になるような見開き状態に開閉することができるようになっており、少なくとも１つのレンズと少なくとも１つの鏡は、保持軸のまわりに回動させて他の構成要素の外側に出した部分において当該レンズを介して当該鏡を見ることができるようになっており、前記見開き状態に開いた２つのレンズは、使用者がその一方のレンズを右の眼で他方のレンズを左の眼で同時に見ることができるように他の構成要素の位置からはみ出した状態に開くことができるようになっていることを特徴とする携帯用装飾レンズ。
【請求項６】
請求項５に記載の携帯用装飾レンズにおいて、前記携帯用装飾レンズは、前記見開き状態に開いた２つのレンズ（以下、前記見開き状態に開いた２つのレンズのそれぞれを基準レンズともいう）の少なくとも一方のレンズに重ねて配置することができる前記基準レンズとは異なるレンズ（以下、被重畳レンズともいう）を少なくとも１つ有しており、少なくとも１つの前記被重畳レンズは、前記見開き状態に開いた２つのレンズと前記時計のうちの少なくとも１つと独立に開閉自在に保持軸に軸着されていることを特徴とする携帯用装飾レンズ。
【請求項７】
請求項６に記載の携帯用装飾レンズにおいて、前記携帯用装飾レンズは、前記基準レンズと前記被重畳レンズの相対位置を変えることができる操作手段を有していることを特徴とする携帯用装飾レンズ。
【請求項８】
請求項５〜７のいずれか１項に記載の携帯用装飾レンズにおいて、少なくとも１つの前記レンズには、レンズとして使用する入射面内の位置によって焦点距離の異なる部分が設けられていることを特徴とする携帯用装飾レンズ。
【請求項９】
請求項５〜８のいずれか１項に記載の携帯用装飾レンズにおいて、携帯用装飾レンズに前記保持軸が少なくとも２本設けられており、前記見開き状態に開いた２つの基準レンズがそれぞれ前記２本の異なる保持軸に軸着されていることを特徴とする携帯用装飾レンズ。
【請求項１０】
請求項５〜９のいずれか１項に記載の携帯用装飾レンズにおいて、前記レンズの少なくとも１つは当該レンズの周囲にレンズ枠が配置されていないことを特徴とする携帯用装飾レンズ。
【請求項１１】
請求項５〜１０のいずれか１項に記載の携帯用装飾レンズにおいて、前記レンズあるいは鏡あるいは時計の少なくとも１つを他の構成要素の位置から引き出した状態で、前記引き出された構成要素以外の構成要素の少なくとも１つが、前記引き出された構成要素を使用するときの取っ手の役割をすることができる構造になっていることを特徴とする携帯用装飾レンズ。
【請求項１２】
請求項５〜１１のいずれか１項に記載の携帯用装飾レンズにおいて、前記携帯用装飾レンズは、少なくとも１つの前記レンズあるいは鏡を直接引き出さなくても、前記少なくとも１つのレンズあるいは鏡が他の構成要素の位置から所定量だけ出ている（以下、所定量だけ出ていることを飛び出すともいう）状態にすることができる操作手段を有していることを特徴とする携帯用装飾レンズ。
【請求項１３】
請求項１２に記載の携帯用装飾レンズにおいて、前記操作手段が押圧式と引き出し式のいずれかまたは双方を組み合わせた手段であることを特徴とする携帯用装飾レンズ。
【請求項１４】
請求項１２または１３に記載の携帯用装飾レンズにおいて、前記操作手段が前記携帯用装飾レンズに軸着されている前記少なくとも１つのレンズあるいは鏡あるいは時計等の各要素に応じて前記各要素の飛び出す前の位置から飛び出す寸法や方向などの飛び出し状態が異なるように各要素が所定量だけ出ている状態にすることができる手段であることを特徴とする携帯用装飾レンズ。
【請求項１５】
請求項５〜１４のいずれか１項に記載の携帯用装飾レンズにおいて、前記各要素が前記携帯用装飾レンズに着脱可能に軸着されていることを特徴とする携帯用装飾レンズ。
【請求項１６】
請求項５〜１５のいずれか１項に記載の携帯用装飾レンズにおいて、前記携帯用装飾レンズは、少なくとも前記レンズあるいは鏡を開閉させることができるとともに、前記携帯用装飾レンズ側面の開口部に開閉可能な蓋部あるいは側壁を有していることを特徴とする携帯用装飾レンズ。
【請求項１７】
少なくとも一方が加飾板である一対の外装板を対向させて配置したケースの前記一対の外装板の間に少なくとも２つのレンズと少なくとも１つの鏡を実装した携帯用装飾レンズにおいて、前記ケースは、前記対向する一対の外装板の間にレンズと鏡を装着させることができる保持軸を少なくとも１つ有しており、前記ケースには少なくとも一つの開口部（以下、ケース側面開口部ともいう）が設けられており、少なくとも１つの前記レンズは、それを前記保持軸に取り付けることができる取付部を有しており、少なくとも１つのレンズと少なくとも１つの鏡は、保持軸のまわりに回転させて前記ケース側面開口部から前記レンズと前記鏡のうちの少なくとも一つの少なくとも一部を出し入れすることができるように前記保持軸に軸着されており、少なくとも１つのレンズと少なくとも１つの鏡は、前記ケースの外側に出した部分を前記レンズを介して前記鏡を使用することができるようになっており、また、少なくとも２つのレンズは、前記ケースの外側におおむね平行な状態に出して使用することができるようになっており、前記ケースが、前記ケースを前記外装板の上方から投影した形状に外接する長方形の長辺の寸法が６５ｍｍ以下であり、短辺の寸法が３５ｍｍ以下であるような細長い形状のケースであることを特徴とする携帯用装飾レンズ。
【請求項１８】
請求項１７に記載の携帯用装飾レンズにおいて、前記少なくとも２つのレンズのうちの２つのレンズがそれぞれ異なる保持軸に軸着されていることを特徴とする携帯用装飾レンズ。